(57)【要約】  【課題】  内容積を調整するためにその高さを自由に変形することができ、あるいはまた内容物を取外す際の取外し作業が容易に行なえるファイバドラムを提供する。  【解決手段】  ファイバドラムの胴の部分１１を複数個に分割して中間に着脱自在な中間の胴１２を設け、この中間の胴１２を絞り加工された縮径部２５によって順次接続できるようにしたものである。【選択図】  図１
2005112421.tif 000002
【特許請求の範囲】
【請求項１】
板紙によって筒状になし、底部を底板によって閉塞するとともに、上部開口を開閉自在に覆うように蓋体を取付けたファイバドラムにおいて、
筒状の胴の部分を軸線方向に複数個に分割し、複数段に組合わせるようにしたことを特徴とするファイバドラム。
【請求項２】
中間の胴の部分の上端を絞り加工して縮径し、蓋体または上段の胴の部分の下端の内側に嵌合させることを特徴とする請求項１に記載のファイバドラム。
【請求項３】
中間の胴の部分の下端を絞り加工して縮径し、底板側の胴の部分またはすぐ下の胴の部分の上端の内側に嵌合させることを特徴とする請求項１に記載のファイバドラム。
【請求項４】
内部が物品を収納する収納空間になっており、収納する物品に応じて組合わされる筒状の胴の部分の寸法または数を変更することを特徴とする請求項１に記載のファイバドラム。
【請求項５】
胴の部分が円筒状であって、内部に断面が円形の空間が形成されることを特徴とする請求項４に記載のファイバドラム。
【請求項６】
内部に収納された物品を取出すときに、それに先立って中間の胴の部分を取外すことを特徴とする請求項４に記載のファイバドラム。
【発明の詳細な説明】
【技術分野】
【０００１】
本発明はファイバドラムに係り、とくに板紙によって筒状になし、底部を底板によって閉塞するとともに、上部開口を開閉自在に覆うように蓋体を取付けたファイバドラムに関する。
【背景技術】
【０００２】
特開平７−６１４３８号公報、特開平７−９６９２９号公報、特開平９−２８６４３５号公報、特開平９−３０１３６９号公報、特開２０００−１５９２１５号公報、特開２００１−２７０５１３号公報等に開示されているように、板紙によって筒状になし、底部を底板によって閉塞するとともに、上部開口を開閉自在に覆うように筒体を取付けたファイバドラムが物品を収納して持運ぶための収納用容器として用いられている。
【０００３】
従来のこの主のファイバドラムは、中に収納される物品の大きさや、収納すべき分量に応じて予めその高さや半径、あるいは容積を予め設定し、これに応じて適正な寸法としていた。従って従来のファイバドラムは、一旦製造された後に、その容積や高さを自由に変えることができず、予め設計された内容積、半径、および高さをもった容器として用いなければならなかった。従って容器としての柔軟性に欠ける欠点があった。
【０００４】
またとくに高さ方向の寸法が大きいファイバドラムの場合であって、中に物品を収納して容器として用いる場合には、この容器から物品を取出す作業が面倒になっていた。これは高さ方向の寸法が大きくなると、中に収納されている物品を出す際に、深く手を入れなければならなくなるが、必ずしも底部まで手を入れることができるとは限らず、物品の取出しが非常に面倒になる欠点があった。
【０００５】
なお特開２００３−２９５１６号公報には、上端に設けた補給用開口部が取外し可能なシール部材で密閉された上部容器筒の下端開口と、下部容器筒の上端開口と、を連通状態に連結してなるトナー補給容器であって、補給用開口部が取外し可能なシール部材で密閉される上部容器筒と、上端が開口した下部容器筒と、をネジ式伸縮構造の連結部で伸縮自在に連結し、かつシール部材で内部を水密気密的に封止し、内容積を可変に調整可能に構成し、簡単な操作で容器内外の気圧差が解消できる構成が簡易なトナー補給容器が開示されている。この容器は上部容器と下部容器とが伸縮自在なネジ式伸縮構造によって伸縮されるだけであって、これらの上部容器と下部容器の寸法は不変であって調整可能ではない。
【０００６】
【特許文献１】特開平７−６１４３８号公報
【特許文献２】特開平７−９６９２９号公報
【特許文献３】特開平９−２８６４３５号公報
【特許文献４】特開平９−３０１３６９号公報
【特許文献５】特開２０００−１５９２１５号公報
【特許文献６】特開２００１−２７０５１３号公報
【特許文献７】特開２００３−２９５１６号公報
【発明の開示】
【発明が解決しようとする課題】
【０００７】
本願発明の課題は、内容量を自由に変えることができるファイバドラムを提供することである。
【０００８】
本願発明の別の課題は、収納される物品あるいは使用状態に応じて高さを任意に変えることが可能なファイバドラムを提供することである。
【０００９】
本願発明の別の課題は、中間の胴の部分を取外すことによって、内容物の出入れを容易にしたファイバドラムを提供することである。
【課題を解決するための手段】
【００１０】
本願の主要な発明は、板紙によって筒状になし、底部を底板によって閉塞するとともに、上部開口を開閉自在に覆うように蓋体を取付けたファイバドラムにおいて、
筒状の胴の部分を軸線方向に複数個に分割し、複数段に組合わせるようにしたことを特徴とするファイバドラムに関するものである。
【００１１】
ここで中間の胴の部分の上端を絞り加工して縮径し、蓋体または上段の胴の部分の下端の内側に嵌合させることが好ましい。また中間の胴の部分の下端を絞り加工して縮径し、底板側の胴の部分またはすぐ下の胴の部分の上端の内側に嵌合させることが好ましい。また内部が物品を収納する収納空間になっており、収納する物品に応じて組合わされる筒状の胴の部分の寸法または数を変更することが好ましい。また胴の部分が円筒状であって、内部に断面が円形の空間が形成されることが好ましい。また内部に収納された物品を取出すときに、それに先立って中間の胴の部分を取外すことが好ましい。
【００１２】
本願発明の好ましい態様は、ファイバドラムの胴の部分にギャザリングから成るジョイント部を設け、高さあるいは内容量を自由に変えられるようにし、また途中で取外すことを可能にして内容物の出入れを容易にするようにしたファイバドラムに関するものである。
【００１３】
従来のファイバドラムは、薬品類、粉体等の輸送に使われ、主に工業用に用いられることが多かった。そのために内容量を調整する場合には、その内径の大きさを変えることで対応していた。これに対して本願の好ましい形態は、高さが違う製品を入れる場合などに、中間の胴部を追加するだけで高さが調整できるようにしたものである。また途中で外すことができるために、内容物が取出し易くなる利点を生ずる。
【発明の効果】
【００１４】
本願の主要な発明は、板紙によって筒状になし、底部を底板によって閉塞するとともに、上部開口を開閉自在に覆うように蓋体を取付けたファイバドラムにおいて、筒状の胴の部分を軸線方向に複数個に分割し、複数段に組合わせるようにしたものである。
【００１５】
従ってこのようなファイバドラムによれば、複数個に分割された筒状の胴の部分を任意に組合わせることによって高さや内容量を変えることができる。従って収納される物品の大きさや量、あるいは目的に応じて自由に高さあるいは内容積を変えて、柔軟に対応できるようになる。また固形物を収納した場合であって、取出す場合に、中間の胴の部分を予め取外すことによって、内容物の出入れが容易になる。
【発明を実施するための最良の形態】
【００１６】
以下本願発明を図示の実施の形態によって説明する。図１および図２は本実施の形態のファイバドラムの全体の構成を示すものであって、このファイバドラムはほぼ筒状をなす本体部１１と、この本体部１１の上に重合わせるようにして組合わされる中間の胴１２と、上部開口を閉塞するように組合わされる蓋体１３とから構成される。
【００１７】
まず本体部１１の構造について説明すると、図１および図２に示すように、本体部１１は板紙によって筒状に組立てたものであって、その底部開口１７が底板１６によって閉塞される。本体部１１の下端であってその内周側には紙リング１８が底板１６の下方への折曲げ部分を挟着した状態で糸１９によって縫い付けて固着される。すなわち紙リング１８によって下面が支えられるようにして固着された状態で、本体部１１の底部に底板１６が取付けられる。
【００１８】
本体部１１の上端側の上部開口２０の周縁部は縮径部２１から構成される。すなわち筒状をなす本体部１１の上端側の部分を絞り加工することによって縮径部２１が形成される。この縮径部２１は中間の胴１２の下端側の開口に嵌合されるように、外径が中間の胴１２の内径とほぼ一致している。
【００１９】
中間の胴１２の上部開口２４の周縁部は絞り加工されて縮径部２５になっている。この縮径部２５はその外径が蓋体１３の内径とほぼ一致している。従って縮径部２５が蓋体１３の内側に図２に示すように嵌合されることになる。
【００２０】
蓋体１３の上部開口を閉じるように天板２８が取付けられる。すなわち蓋体１３の内周部には紙リング２９が天板２８の上方への折曲げ部分が挟着された状態で糸３０によって縫い付けられる。なお糸３０はミシン目３１によって蓋体１３に止着される（図３参照）。
【００２１】
このようなファイバドラムは、使用される目的、あるいは収納される物品の大きさや容量に応じて、中間の胴１２の部分を複数段に重合わすことができるようになっている。ここでは中間に１個の胴１２を組合わせた状態でファイバドラムを組立てるようにしている。すなわち本体部１１の上側に中間の胴１２を組合わせ、しかも中間の胴１２の上部開口を蓋体１３によって覆うようにしている。
【００２２】
従って収納される物品の大きさや内容量を調整する場合に、中間に組合わされる胴１２の数を変更することによって対応できる。また高さが違う製品を入れる場合に、中間の胴１２の部分の数を調整したり追加するだけで高さが調整できるようになる。また中間の胴１２を付加することによって、元々短かった本体部１１を流用して軸線方向の寸法が大きな容器とすることができる。
【００２３】
また内容物たる物品３５を取出す際に、図４に示すように蓋体１３をまず取外し、次に中間の胴１２を取外すことによって、物品３５の大半の部分が本体部１１の上部開口２０から上方に突出する。従って比較的高さ方向の寸法の小さな本体部１１から物品３５を取出す作業が容易になる。すなわち本体部１１の物品３５の両側に手を入れて物品３５の底部を持って持上げるだけでよく、このときに本体部１１の高さ方向の寸法が低いために、取出し作業が容易になる。
【００２４】
次に変形例を図５によって説明する。この変形例は中間の胴１２の上端に縮径部２５を形成するとともに、下端に縮径部２１を形成したものである。すなわち本体部１１の上端側の部分に縮径部２１を形成する代りに、中間の胴１２の下端に縮径部２１を形成したものである。
【００２５】
従ってこのようなファイバドラムを組立てる際には、中間の胴１２の下端の縮径部２１を本体部１１の上端の開口２０の内周面に嵌合させ、しかも中間の胴１２の上端の縮径部２５を蓋体１３の内径に嵌合させることによって、このファイバドラムが組立てられる。またこのようなファイバドラムによると、中間の胴１２が高さ方向の方向性がなくなり、方向の確認をしないで組立てを行なうことが可能になり、組立て工数が削減できる。
【００２６】
図６および図７は天板２８および底板１６の組立てに関する変形例を示すものである。ここでは図６に示すように、天板２８の周縁部をほぼ垂直になるように上方に折曲げることなく、蓋体１３の内周面に外周部を嵌合し、糸３０によって蓋体１３に縫合わされる紙リング２９に当接させるようにしたものである。従って天板２８の取付けがより簡単になる。
【００２７】
また底板１６についても同様に、図７に示すように底板１６の周縁部を下方に折曲げることなく、本体部１１の内周面に嵌合させるとともに、糸１９によって本体部１１の内周面に縫付けられる紙リング１８の上面に載置して組付けるようにしたものである。従って底板１６の糸１９による固定がより簡単に行なわれる。
【００２８】
図８および図９は別の変形例を示している。これらの変形例において蓋体１３の上端は図８に示すように半径方向内周側に直角に絞り加工によって折曲げられるとともに、この折曲げ部分４１の下面に接合されるように天板２８を結合するものである。このときに天板２８は糊剤や接着剤によって折曲げ部分４１に接合される。
【００２９】
また底板１６については図９に示すように、本体部１１の下端の直角に折曲げられた折曲げ部分４２の上面に重合わされる。そして折曲げ部分４２と底板１６とが接着剤あるいは糊によって接合固定される。
【００３０】
次に図１０によって天板２８の取付けの変形例を説明する。この変形例は蓋体１３の胴の部分の上端をほぼＵ字状に下方に屈曲させるとともに、この折返し部分４５によって蓋体２８の外周縁であって上方に直角に絞り加工された部分を挟着して接合する。これによって天板２８が蓋体１３に確実に固着されることになる。
【００３１】
次に図１１によってこの変形例の底板２８の取付けを説明する。この取付け構造は本体部１１の下端の折返し部分４６によって、底板２８の外周側の下方へ折曲げられた折曲げ部分を挟着して接合するものである。ここでも天板２８の下端の折返し部分が本体部１１の下端の折返し部分４６に挟着されるために、天板２８と本体部１１との結合が非常に強固になる。
【産業上の利用可能性】
【００３２】
以上本願発明を図示の実施の形態によって説明したが、本願発明は上記実施の形態によって限定されることなく、本願発明の技術的思想の範囲内において各種の変更が可能である。例えば上記実施の形態は、本体部１１と蓋体１３との間に中間の単一の胴１２を組合わせた構造を採用しているが、中間に組合わされる胴１２の数は上記実施の形態によって限定されることなく、任意に増減可能である。
【図面の簡単な説明】
【００３３】
【図１】一実施の形態のファイバドラムの分解斜視図である。
【００３４】
【図２】同ファイバドラムの組立て状態の縦断面図である。
【００３５】
【図３】同ファイバドラムの蓋体の天板の取付け構造を示す要部斜視図である。
【００３６】
【図４】ファイバドラムの使用状態の斜視図である。
【００３７】
【図５】変形例のファイバドラムの外観斜視図である。
【００３８】
【図６】変形例の天板の取付け構造を示す縦断面図である。
【００３９】
【図７】変形例の底板の取付け構造を示す縦断面図である。
【００４０】
【図８】別の変形例の天板の取付け構造を示す縦断面図である。
【００４１】
【図９】別の変形例の底板の取付け構造を示す縦断面図である。
【００４２】
【図１０】さらに別の変形例の天板の取付け構造を示す縦断面図である。
【００４３】
【図１１】さらに別の変形例の底板の取付け構造を示す分解斜視図である。
【符号の説明】
【００４４】
１１‥‥本体部、１２‥‥中間の胴、１３‥‥蓋体、１６‥‥底板、１７‥‥底部開口、１８‥‥紙リング、１９‥‥糸、２０‥‥上部開口、２１‥‥縮径部、２４‥‥上部開口、２５‥‥縮径部、２８‥‥天板、２９‥‥紙リング、３０‥‥糸、３１‥‥ミシン目、３５‥‥物品、３６‥‥手、４１、４２‥‥折曲げ部分、４５、４６‥‥折返し部分
【図１】
2005112421.tif 000003
【図２】
2005112421.tif 000004
【図３】
2005112421.tif 000005
【図４】
2005112421.tif 000006
【図５】
2005112421.tif 000007
【図６】
2005112421.tif 000008
【図７】
2005112421.tif 000009
【図８】
2005112421.tif 000010
【図９】
2005112421.tif 000011
【図１０】
2005112421.tif 000012
【図１１】
2005112421.tif 000013